(57)【特許請求の範囲】
【請求項１】
結像レンズにより形成される光学像を電気信号に変換する光電変換手段と、
前記光電変換手段の入射面に形成されたシールガラスと、
前記結像レンズと前記シールガラスとの間の光路中に、前記シールガラスとの間に空間を設けて配設される光学部材と、
前記結像レンズの少なくとも結像面近傍に位置する前記光学部材の入射面および出射面に設けられる透明電極と、
前記透明電極に電気的に接続され、帯電によって前記光学部材に生じる電荷を中和するための導電部材と、
を有することを特徴とする光学機器。
【請求項２】
請求項１に記載の光学機器において、
前記光学部材に付着する付着物の吸着力を減じるように前記導電部材に電圧を印加する電圧源をさらに有することを特徴とする光学機器。
【請求項３】
請求項１に記載の光学機器において、
前記光電変換手段に入射する光束を遮光する遮光状態、または前記光束を通過可能にする開放状態に切換可能なシャッタを前記光学部材の入射面側に配置し、
前記シャッタと前記光学部材との位置関係に関し、前記シャッタの動作にともなって前記光学部材が帯電するほどの位置に近接して配設されることを特徴とする光学機器。
【請求項４】
請求項３に記載の光学機器において、
前記光学部材に付着する付着物の吸着力を減じるように前記導電部材に電圧を印加する電圧源をさらに有することを特徴とする光学機器。
【請求項５】
請求項４に記載の光学機器において、
前記シャッタを開放状態に維持するとともに前記光学部材に前記電圧を印加する動作モードをさらに有することを特徴とする光学機器。
【請求項６】
請求項５に記載の光学機器において、
前記電圧源は、ユーザの手動操作に応じて前記導電部材へ電圧を印加するように制御されることを特徴とする光学機器。
【発明の詳細な説明】
【０００１】
【発明の属する技術分野】
本発明は光学機器に関し、さらに詳しくは光学像を電気信号に変換する画像入力装置や電子カメラなどの光学機器で、ＣＣＤなどの光電変換素子の表面等にゴミ等が付着して入力する画像に写り込みを生じるのを防止可能な光学機器に関する。
【０００２】
【従来の技術】
一眼レフ式で撮影レンズの交換が可能なディジタルスチルカメラ（以下、本明細書中では一眼レフ式で撮影レンズの交換が可能なディジタルスチルカメラを「レンズ交換式ＤＳＣ」と称し、ディジタルスチルカメラを「ＤＳＣ」と称する）が知られている。レンズ交換式ＤＳＣでは、撮影レンズを外したときにゴミやケバなどの異物がミラーボックス内に侵入しやすい。
【０００３】
また、ミラーボックス内でミラーや撮影レンズの絞りを制御する機構が作動するため、ミラーボックス内部でゴミが発生することもある。
【０００４】
これらの異物が撮影レンズの焦点面近傍、すなわちＣＣＤなどの光電変換素子の受光面近傍などに付着すると、光電変換素子で入力する画像に写り込みを生じることがあった。以下、本明細書中では入力する画像に異物の影が写り込みを生じることを単に「写り込みを生じる」と称する。
【０００５】
ファクシミリやスキャナなどの画像入力装置でも同様で、原稿が送られるときや原稿読取ユニットが移動する際にゴミやケバなどの異物を生じ、これが光電変換素子の受光面近傍や原稿載置用のガラス（プラテンガラス）などに付着するとレンズ交換式ＤＳＣと同様、写り込みを生じることがあった。
【０００６】
【発明が解決しようとする課題】
このような不具合をなくすため、レンズ交換式ＤＳＣではブロア等を用いて光電変換素子表面等に付着した異物を吹き飛ばして清掃をするのが一般的である。
しかし、吹き飛ばされた異物がカメラ外部には出ず、ミラーボックス内部に付着することもある。また、ファクシミリやスキャナなどの光学機器も同様で、吹き飛ばされた異物が光学機器の外には出ず、機器内部にとどまる場合がある。
【０００７】
ところで、ＤＳＣには空間周波数特性を制御するための光学フィルタが光電変換素子の近傍に配設される。この光学フィルタは、複屈折特性を有する水晶板などの結晶が用いられる。これらの結晶は圧電効果を有しているため、振動などによって結晶自体が帯電しやすく、帯電した電荷が逃げにくいという性質を有する。また、光電変換素子のパッケージの材質としてはプラスチックやセラミクスなどの絶縁材料が用いられているため、光電変換素子が帯電した場合に電荷が逃げにくいという背景がある。
【０００８】
機器作動にともなって生じる振動や空気の流れなどにより、上述の異物が機器類の中を浮遊し、これが上述のように帯電した光学フィルタや光電変換素子等に再度付着する場合があった。すると写り込みを再度生じることとなり、このために光学機器の清掃を頻繁に行う必要があった。
【０００９】
本発明は、上述の光学フィルタや光電変換素子などが帯電するのにともなって発生する電荷を中和し、異物がこれらの光学フィルタや光電変換素子などに付着して写り込みを生じるのを抑制することを目的とする。
【００１０】
【課題を解決するための手段】
一実施の形態を示す図１および図２に対応付けて以下の発明を説明する。
（１）  請求項１に記載の発明は、結像レンズ１により形成される光学像を電気信号に変換する光電変換手段５と；光電変換手段５の入射面に形成されたシールガラス５ａと；結像レンズ１とシールガラス５ａとの間の光路中に、シールガラス５ａとの間に空間を設けて配設される光学部材４と；結像レンズ１の少なくとも結像面近傍に位置する光学部材４の入射面および出射面に設けられる透明電極８Ｂと；透明電極８Ｂに電気的に接続され、帯電によって光学部材４に生じる電荷を中和するための導電部材６ａとを有するものである。
（２）  一実施の形態を示す図４に対応付けて説明をすると、請求項２に記載の発明は、光学部材４に付着する付着物の吸着力を減じるように導電部材６ａＡに電圧を印加する電圧源２０をさらに有するものである。
一実施の形態を示す図５に対応付けて以下の発明を説明する。
（３）  請求項３に記載の発明は、光電変換手段５に入射する光束を遮光する遮光状態、または光束を通過可能にする開放状態に切換可能なシャッタ３を光学部材４入射面側に配置し；シャッタ３と光学部材４との位置関係に関し、シャッタ３の動作にともなって光学部材４が帯電するほどの位置に近接して配設されるものである。
（４）  請求項４に記載の発明は、光学部材４に付着する付着物の吸着力を減じるように導電部材６８、６ａＡに電圧を印加する電圧源３０をさらに有するものである。
（５）  請求項５に記載の発明は、シャッタ３を開放状態に維持するとともに光学部材４に電圧を印加する動作モードをさらに有するものである。
（６）  請求項６に記載の発明は、請求項５に記載の光学機器において、ユーザの手動操作に応じて導電部材へ電圧を印加するように、電圧源が制御されることを特徴とする。
【００１１】
なお、本発明の構成を説明する上記課題を解決するための手段の項では、本発明を分かり易くするために発明の実施の形態の図を用いたが、これにより本発明が実施の形態に限定されるものではない。
【００１２】
【発明の実施の形態】
−  第１の実施の形態  −
図１は、本発明が適用されるレンズ交換式ＤＳＣ（以下、本明細書中ではレンズ交換式ＤＳＣを単に「カメラ」と称する）の要部を概略的に示す図である。撮影目的に応じて交換可能な撮影レンズ１がカメラ本体４０に装着される。カメラ本体４０のミラーボックス４２内部にはミラー２、シャッタ３、光学フィルタ４、光電変換素子５などが配設される。ミラーボックス４２の上方にはフォーカシングスクリーン１０が配設される。
【００１３】
ミラー２は、カメラの作動状態に応じてダウン状態、すなわち図１の実線で示される状態とアップ状態、すなわち図１の２点鎖線で示される状態とに自動的に切り替えられる。シャッタ３は、このシャッタ３の後方に光学フィルタ４とともに配設される光電変換素子５の受光面に入射する光の量を制御する。光学フィルタ４は、複屈折特性を有する水晶等の結晶で形成される光学的ローパスフィルタや赤外波長域の光をカットするフィルタ、そして１／４波長板などを重ね合わせて構成される。
【００１４】
図１に示されるカメラの光学フィルタ４および光電変換素子５の配設部分を拡大して示す図２を参照して第１の実施の形態の説明を続ける。光学フィルタ４の入射面および出射面には、ネサ膜等の透明電極８Ａおよび８Ｂがそれぞれ形成される。光電変換素子５の受光面にはシールガラス５ａが設けられるが、このシールガラス５ａの表面にもネサ膜等の透明電極８Ｃが形成される。これらの透明電極８Ａ〜８Ｃは、後述するように導電接続部６ａまたは６ｂによって筐体７の導電部分に接続される。
【００１５】
光学フィルタ４および筐体７を部分的に拡大して示す図３を参照し、光学フィルタ４の表面に形成される透明電極８Ａ、８Ｂと筐体７との間の導電接続部６ａについて説明する。図３（ａ）において、光学フィルタ４には貫通穴４ａが穿設される。この貫通穴４ａには導電性のピン６１が挿入され、このピン６１と透明電極８Ａ、８Ｂとは銀ペーストなどの導電性接着剤６０で接着される。これにより、ピン６１と透明電極８Ａ、８Ｂとが導通状態となる。ピン６１にはワイヤ６２の一端が半田付けされ、他端が筐体７の導電部分に半田付けされる。なお、ワイヤ６２と筐体７の導電部分との接続に際しては、ワイヤ６２にラグ板等（不図示）を半田付けないしは圧着しておき、このラグ板等を筐体７にビス止めするものであってもよい。これにより、透明電極８Ａ、８Ｂは筐体７の導電部分と等電位になるように接続される。以上のように、図３（ａ）に示す例において導電接続部６ａＡは導電性接着剤６０、ピン６１およびワイヤ６２により構成される。
【００１６】
透明電極８Ａ、８Ｂと筐体７の導電部分との導電接続部に関しては、図３（ｂ）または図３（ｃ）に示されるようなものであってもよく、以下これについて説明する。図３（ｂ）において、ばね性を有する導電部材６４Ａ、６４Ｂが筐体７の導電部分に導通可能な状態で固設される。これら導電部材６４Ａ、６４Ｂの弾性復元力により、透明電極８Ａには導電部材６４Ａが、そして透明電極８Ｂには導電部材６４Ｂがそれぞれ圧接している。これにより、透明電極８Ａ、８Ｂはいずれも筐体７の導電部分と等電位になるように接続される。すなわち、図３（ｂ）に示す例において導電接続部６ａＢは導通部材６４Ａおよび６４Ｂにより構成される。
【００１７】
図３（ｃ）において、光学フィルタ４は導電性を有する枠体６５により保持され、透明電極８Ａ、８Ｂと枠体６５とは導通可能な状態で接触している。枠体６５は、筐体７の導電部分に形成される固定部７ａにビス６６で締結される。これにより、透明電極８Ａ、８Ｂはいずれも筐体７の導電部分と等電位となるように接続される。すなわち、図３（ｃ）に示す例において導電接続部６ａＣは枠体６５、ビス６６および固定部７ａにより構成される。
【００１８】
図３（ｄ）を参照し、光電変換素子５のシールガラス５ａの表面に形成される透明電極８Ｃと筐体７の導電部分との導電接続部６ｂについて説明する。光電変換素子５を保持するブラケット５ｂにばね性を有する導電部材６４Ｃが固設され、この導電部材６４Ｃは透明電極８Ｃに圧接する。導電部材６４Ｃにはワイヤ６７の一端が半田付けされ、ワイヤ６７の他端が筐体７の導電部分に半田付けされる。ワイヤ６７と筐体７との接続方法については、導電接続部６ａＡと同様にしてワイヤ６７にラグ板等（不図示）を半田付けないしは圧着しておき、このラグ板等を筐体７にビス止めするものであってもよい。以上、図３（ｄ）に示す例において導電接続部６ｂは導電部材６４Ｃおよびワイヤ６７により構成される。
【００１９】
以上のように構成されるカメラにおいて撮影準備動作時、すなわち撮影者がフレーミング、露出値の調節、そして焦点調節などに係る動作を行う場合に、ミラー２は図１に示すように下がった状態にある。このため、撮影レンズ１により形成された被写体像はミラー２で上方に反射されてフォーカシングスクリーン１０上に結像する。撮影者はフォーカシングスクリーン１０に結像した被写体像を不図示のファインダ光学系を介して観察する。
【００２０】
撮影時にミラー２は上方に跳ね上がり、その後シャッタ３が開閉動作した後、ミラー２は下がる。この一連の動作により、撮影レンズ１により導かれた被写体からの光は光学フィルタ４を透過して光電変換素子５に入射する。
【００２１】
上述のカメラにおいて、光学フィルタ４の両面に形成される透明電極８Ａ、８Ｂは導電接続部６ａにより、そして光電変換素子５のシールガラス５ａの表面に形成される透明電極８Ｃは導電接続部６ｂにより筐体７の導電部分とそれぞれ等電位に接続される。これにより、光学フィルタ４や光電変換素子５の帯電が抑制される。したがって、撮影レンズ１の焦点面近傍に位置する光学フィルタ４やシールガラス５ａにゴミやケバの付着するのを抑制することができる。
【００２２】
ところで、従来の技術に係るＤＳＣで光学フィルタが帯電し、光学フィルタと光電変換素子との間に生じる電位差がある程度大きくなると放電を生じる場合がある。この放電が生じると光電変換素子から出力される信号にノイズが乗ることもあり、放電の程度によっては光電変換素子自体が破壊されるという不具合を生じる。これに対し、本実施の形態のカメラでは光学フィルタ４および光電変換素子５が筐体７の導電部分を介して等電位に接続されているために電位差を生じず、したがって上述のような不具合も生じない。
【００２３】
−  第２の実施の形態  −
第１の実施の形態において、光学フィルタ４の両面に形成される透明電極８Ａ、８Ｂおよびシールガラス５ａの表面に形成される透明電極８Ｃは、いずれも筐体７の導電部７に導通状態に接続されるものであった。これに対し、第２の実施の形態に係るカメラでは透明電極８Ａ〜８Ｃを互いに等電位となるように接続し、これら透明電極８Ａ〜８Ｃと筐体７の導電部との間に電圧源を接続する点が相違する。したがって、この相違点を中心に第２の実施の形態の説明をする。その他の構成については図１に示すものと同様であるのでその説明を省略する。
【００２４】
図４は第１の実施の形態を説明する図２と同様、カメラの光学フィルタ４および光電変換素子５の配設部分を拡大して示すものである。図４において図２または図３に示されるものと同様の構成要素には同じ符号を付してその説明を省略する。透明電極８Ａ、８Ｂは、導電接続部６ａＡによって電圧源２０の端子２０ａへ接続される一方、透明電極８Ｃは導電接続部６ｂによって電圧源２０の端子２０ａへ接続される。電圧源２０の端子２０ｂは、筐体７の導電部に接続される。
なお、図４においては電圧源２０を便宜的に直流電源として図示し、かつ端子２０ｂの側を（＋）としているが、この例に限定される訳ではない。すなわち、帯電して生じる電位は光学フィルタ４を構成する結晶の種類によってまちまちであり、この結晶の種類に応じて電圧源２０の極性や電圧を帯電の抑制に効果的な状態に変えることが望ましい。
【００２５】
また、電圧源２０から発生する電圧は直流のみならず交流とするものであってもよい。交流の場合、周波数は数ｋＨｚ〜２０ｋＨｚ程度にすることが望ましい。
【００２６】
以上のような構成によれば、電圧源２０から発生する電位を、筐体７を基準として透明電極８Ａ〜８Ｃに印加して光学フィルタ４および光電変換手段５の帯電を抑制することができる。
【００２７】
−  第３の実施の形態  −
図５を参照して第３の実施の形態について説明する。図５は、第１の実施の形態を説明する図２と同様、カメラの光学フィルタ４および光電変換素子５の配設部分を拡大して示すものである。図５において図２または図３に示されるものと同様の構成要素には同じ符号を付してその説明を省略する。また、図５に示される部分以外の構成については図１に示すものと同様であるのでその説明を省略する。
【００２８】
シャッタ３の羽根３ａ等の可動部材が非導電性の材料で構成される場合、この可動部材の作動によって静電気が発生し、シャッタ３とともにシャッタ３の近傍に配設される光学フィルタ４が帯電する場合がある。第３の実施の形態は、シャッタ３の作動にともない、シャッタ３や光学フィルタ４が帯電するのを抑制可能とするものである。
【００２９】
シャッタ３の地板３ｂは、アルミや真鍮、あるいはカーボンファイバー入りのプラスチックなどのように導電性を有する材料で形成される。ワイヤ６８の一端には、たとえばラグ板（不図示）が接続され、このラグ板を介して地板３ｂにビス止めされる。これにより、地板３ｂとワイヤ６８とが電気的に接続される。ワイヤ６８の他端は電圧源３０の端子３０ａに接続される。透明電極８Ａ、８Ｂは、導電接続部６ａＡによって電圧源３０の端子３０ｂに接続される一方、透明電極８Ｃは導電接続部６ｂによって電圧源３０の端子３０ｂへ接続される。なお、第２の実施の形態と同様に、電圧源３０の極性、直流か交流か、交流の場合にはその周波数、そして電圧については、シャッタ３、光学フィルタ４および光電変換素子５の帯電を抑制するために最適な状態となるように設定される。
【００３０】
以上のような構成とすることにより、シャッタ３の可動部材の作動にともなって静電気が発生するのを抑制することができる。
【００３１】
なお、図５において、シャッタ３、光学フィルタ４、および光電変換素子５はいずれも筐体７の導電部分とは接続されていないが、電圧源３０の端子３０ａまたは３０ｂを筐体７の導電部分に接続するものであってもよい。たとえば端子３０ｂを筐体７の導電部分に接続することにより、光学フィルタ４および光電変換素子５に発生する静電気については電圧源３０より電圧を発生させることなく抑制することができる。
【００３２】
ところで、従来の技術でも説明したように撮影レンズ交換式のＤＳＣではミラーボックス４２（図１）の内部に異物が侵入しやすい。そのため、定期的にミラーボックス４２の内部を清掃することが望ましい。このとき、光学フィルタ４等に一度付着した異物はブロア等を用いて吹いても落ちにくい場合がある。第３の実施の形態に係るカメラでは以下で説明するように容易に清掃を行うことができる。
【００３３】
図５において、カメラの作動を制御するＣＰＵ７０には撮影レンズ１（図１）の装着の有無を検知する撮影レンズ検知部７１と、カメラの清掃モード設定用の清掃モード設定スイッチ７２と、レリーズスイッチ７３と、撮影動作に連動してミラー２（図１）を上下動させるミラーアクチュエータ７４と、シャッタ３を駆動するシャッタアクチュエータ７５とが接続される。このＣＰＵ７０には、電圧源３０がさらに接続される。
【００３４】
カメラのユーザは撮影レンズ１をカメラ本体４０から取り外し、清掃モード設定スイッチ７２を操作して清掃モードに設定し、レリーズスイッチ７３をオンさせる。これに応答してＣＰＵ７０はミラーアクチュエータ７４およびシャッタアクチュエータ７５に制御信号を発してミラー２をアップ（図１の２点鎖線で示す状態）させ、シャッタ３を開放状態にする。ＣＰＵ７０は、続いて電圧源３０に制御信号を発して電圧源３０より所定の電圧を発生させる。このとき電圧源３０からは交流電圧を発生させてもよいし、直流電圧を発生させてもよい。これにより、シャッタ３、光学フィルタ４、および光電変換素子５の帯電を中和することができ、これにより光学フィルタ４や光電変換素子５に付着する異物の吸着力（静電気により発生する引力）を弱めることができる。
【００３５】
また、光学フィルタ４や光電変換素子５などに付着している異物自体が帯電していることもある。このような場合、電圧源３０より交流電圧を発生させるか、あるいは付着している異物に対して斥力を生じるような極性の直流電圧を印加することにより異物を光学フィルタ４や光電変換素子５から浮かすこともできる。
電圧源３０から上述のような電圧を発生させた状態で、カメラのユーザがブロア等を用いてミラーボックス４２の内部を吹くことにより、異物を容易に除去することができる。このとき、ブロアから吹き出す空気を帯電させる装置を用い、この装置から帯電した空気を吹き出させることにより上述の異物に対して引力を発生させるとさらに効果的に異物を除去することができる。
【００３６】
以上のようにして清掃を完了した後に、カメラのユーザがレリーズスイッチ７３を再度オンさせることに連動し、ＣＰＵ７０は電圧源３０、ミラーアクチュエータ７４およびシャッタアクチュエータ７５に制御信号を発する。これによって電圧源３０からは電圧が発生しなくなり、シャッタ３は閉じ、そしてミラー２がダウンする。
【００３７】
上述の清掃モードは、本発明の第２の実施の形態に適用することも可能である。さらに、第２および第３の実施の形態の説明において電圧源２０および３０はカメラ内部に有するものであったが、これら電圧源２０および３０を省き、カメラ外部から供給するものであってもよい。この場合、通常の使用状態においては端子２０ａ、２０ｂあるいは端子３０ａ、３０ｂを短絡状態にしておく。そして、上述の清掃モードを設定する際にこれらの端子２０ａ、２０ｂあるいは３０ａ、３０ｂに外部の電圧源より電圧を印加する。このようにすることでカメラの小型軽量化および低コスト化を容易に達成することができ、なおかつ異物の除去も容易に行うことができる。
【００３８】
以上、第１〜第３の実施の形態の説明では本発明をレンズ交換式のＤＳＣに適用する例を挙げて説明したが、撮影レンズ固定式のＤＳＣにも本発明は適用可能である。また、撮影レンズの１次結像面近傍に光学フィルタ４や光電変換素子５が配設される例について説明したが、図６を参照して以下に説明するように再結像光学系を有するようなＤＳＣにも本発明を適用することができる。
【００３９】
図６は、フィールドレンズ１２およびリレーレンズ１５からなる再結像光学系を有するレンズ交換式ＤＳＣの概略的構成を示す図であり、図１に示すレンズ交換式ＤＳＣと同様の構成要素には同一の符号を付し、図１に示すものとの差異を中心に説明する。
【００４０】
撮影状態、すなわちミラー２が図６の２点鎖線で示される状態にあり、かつシャッタ３が開いている状態を仮定して以下の説明を進める。撮影レンズ１の１次結像面近傍にフィールドレンズ１２が配設される。フィールドレンズ１２の後方には光路を折り曲げるためのミラー１３、１４が、そしてミラー１４の後方にリレーレンズ１５が配設される。撮影レンズ１の１次結像面上に結像した被写体像は、フィールドレンズ１２、ミラー１３、ミラー１４、リレーレンズ１５、光学フィルタ４を経て光電変換素子５の受光面上に縮小されて再結像する。つまり、光電変換素子５の受光面が撮影レンズ１の２次結像面となる。図６の１点鎖線で示される光路ｐ上において、ゴミやケバなどの異物がこれら１次結像面および２次結像面のいずれかの結像面近傍に存在しても写り込みを生じる。このような場合にはフィールドレンズ１２の表面やリレーレンズ１５の出射面側に透明電極を設け、これを筐体７の導電部に接続するか電圧源２０または３０に接続することが望ましい。
【００４１】
−  第４の実施の形態  −
以上では本発明をカメラに適用する例について説明したが、本発明は他の光学機器に適用することもできる。第４の実施の形態では、本発明を画像入力装置に適用する例を示して説明する。
【００４２】
画像入力装置の概略的構成を示す図７を参照して説明すると、画像入力ユニット２００はミラー１１２、結像レンズ１１４、光電変換素子２０２およびこれらを収納するハウジング２０８などで構成される。光電変換素子２０２は、画素が図７の紙面直角方向に沿って１次元に配列されるものである。歯付きベルト（タイミングベルト）１０８は、プーリ１０４および１０６の間にかけ渡される。この歯付きベルト１０８に画像入力ユニット２００が固設される。プーリ１０４はステッピングモータ１０２によって回転駆動され、これにより画像入力ユニット２００は図７の紙面左右方向に往復駆動される。これらの構成要素は筐体１２２に収納される。筐体１２２の上方に穿設される開口部にはプラテンガラス１１６が配設され、さらにこのプラテンガラス１１６全体を覆うことの可能な原稿押さえ１１８が配設される。
【００４３】
以上のように構成される画像入力装置１００には不図示のホストコンピュータが接続される。オペレータがプラテンガラス１１６上に読取原稿Ｍをセットし、ホストコンピュータを操作するのに応答してホストコンピュータから画像入力装置１００に画像入力指令が発せられる。この画像入力指令に基づき、画像入力装置１００は原稿Ｍの画像入力を開始し、画像データをホストコンピュータに転送する。すなわち結像レンズ１１４により形成される原稿Ｍの画像を光電変換素子２０２によって線状に読み取っては画像入力ユニット２００を所定の移動ピッチで図７の紙面左右方向に移動する動作を繰り返し、原稿Ｍの２次元の画像を入力する。
【００４４】
このとき、プラテンガラス１１６の表面（原稿載置面）や裏面、あるいは結像レンズ１１４の出射面や光電変換素子２０２の受光面に異物が付着していると、この異物の影が写り込んでしまう。特に結像レンズ１１４の出射面や光電変換素子２０２の受光面に異物が付着すると、常に光電変換素子２０２の特定の画素にかげりを生じるため、入力された画像に線が写り込んで見苦しくなることがある。
【００４５】
そこで、図７に示す画像入力装置では、プラテンガラス１１６の裏面側に透明電極（不図示）を形成し、この透明電極は導電接続部１２０によって筐体１２２の導通部分に接続される。同様に、結像レンズ１１４の出射面に形成される透明電極（不図示）は導電接続部２０６により、光電変換素子２０２のシールガラス２０２ａの表面に形成される透明電極（不図示）は導電接続部２０４によりハウジング２０８の導通部分にそれぞれ接続される。これらの導電接続部１２０、２０６、および２０４は、たとえば図３（ｂ）または図３（ｃ）で示されるものを用いることが可能である。
【００４６】
ハウジング２０８の導通部分と筐体１２２の導通部分とは、たるませたフレキシブルプリント基板（ＦＰＣ）のように伸縮自在な導電部材２１０により接続される。したがって、読み取りユニット２００が図７の紙面左右方向に移動してもハウジング２０８の導通部分と筐体１２２の導通部分との導通状態を維持することができる。以上に説明した構成により、プラテンガラス１１６、結像レンズ１１４の出射面、および光電変換素子２０２はいずれも筐体１２２と等電位に接続され、静電気の発生を抑制することができる。したがってこれらのプラテンガラス１１６、結像レンズ１１４、あるいは光電変換素子２０２に異物が付着して写り込みを生じるのを抑制することが可能となる。
【００４７】
本発明が適用される光学機器としては以上に示した例に限られるものではない。たとえば結像レンズを有さず、光電変換素子を読み取り原稿にほぼ密着させて読み取るような画像入力装置や、読み取り原稿と光電変換素子との間にファイバースコープ状のライトガイドを介在させるような画像入力装置に適用することもできる。
【００４８】
以上の発明の実施の形態と請求項との対応において、光電変換素子５および２０２が光電変換手段を、導電接続部６ａＡおよび導電部材２１０が導電部材を、撮影レンズ１が結像レンズを、光学フィルタ４、フィールドレンズ１２、ミラー１３、ミラー１４およびリレーレンズ１５が光学部材をそれぞれ構成する。
【００４９】
【発明の効果】
以上に説明したように、本発明によれば、結像レンズと光電変換手段との間の光路中に配設される光学部材に生じる電荷を中和することができるので、光学部材の表面にゴミやケバなどの異物が付着して写り込みを生じるのを抑制することができる。
【図面の簡単な説明】
【図１】本発明の第１の実施の形態を示す図であり、本発明による光学機器をカメラとした場合の一例を示す図である。
【図２】同じく、カメラの光学フィルタおよび光電変換素子配設部近傍を拡大して示す図。
【図３】同じく、導電接続部の詳細を示す図であり、（ａ）〜（ｃ）が光学フィルタと筐体との接続部の例を示し、（ｄ）が光電変換素子と筐体との接続部の例を示す。
【図４】本発明の第２の実施の形態を示す図であり、本発明による光学機器をカメラとした場合の別の一例の要部を示す図である。
【図５】  本発明の第３の実施の形態を示す図であり、本発明による光学機器をカメラとした場合のさらに別の一例の要部を示す図である。
【図６】再結像光学系を有するカメラに本発明を適用する例を説明する図。
【図７】本発明の第４の実施の形態を示す図であり、本発明による光学機器を画像入力装置とした場合の一例を示す図である。
【符号の説明】
１      撮影レンズ
２      ミラー
３      シャッタ
４      光学フィルタ
５、２０２      光電変換素子
５ａ、２０２ａ    シールガラス
６ａ、６ａＡ、６ａＢ、６ａＣ、６ｂ、１２０、２０４、２０６、２１０      導電接続部
７、１２２      筐体
８Ａ、８Ｂ、８Ｃ  透明電極
１２    フィールドレンズ
１５    リレーレンズ
２０、３０    電圧源
【図１】
0004556249.tif 000002
【図２】
0004556249.tif 000003
【図３】
0004556249.tif 000004
【図４】
0004556249.tif 000005
【図５】
0004556249.tif 000006
【図６】
0004556249.tif 000007
【図７】
0004556249.tif 000008